(57)【要約】【課題】絶縁物を介挿させることなく取り付けが可能で、かつ検出精度に優れる表面電位検出センサを提供することを目的とする。【解決手段】検出センサＳは、ケーシング２０内に、回路基板（図示せず）及び、検知電極２３などを収容している。ケーシング２０は、ボックス状のケーシング本体２１と、蓋部材３１とから構成されている。ケーシング本体２１は、基板収容口２１Ａを蓋部材３１で閉止することで密閉されるようになっている。係るケーシング本体２１は、親水性ポリマーなどの帯電防止剤が混入された帯電防止樹脂よりなる。一方、蓋部材３１は金属製とされ、図示しないアース手段によって接地されている。【選択図】図２
2007322250.tif 000002
【特許請求の範囲】
【請求項１】
検知電極と、
前記検知電極を測定対象物に対向させたときに、両間に生ずる電界の強度に応じた検出信号を出力するセンサ部と、
前記検知電極と前記センサ部とを内部に収容するケーシングと、からなり、前記検出信号に基づいて前記測定対象物の表面電位を検出する表面電位検出センサであって、
前記ケーシングに、取り付けのための取付部が設けられたものにおいて、
前記ケーシングのうちの、前記検知電極の周囲を囲む電極周辺部は、金属製とされ、かつアース接地される一方、
前記ケーシングのうちの、少なくとも前記取付部を含む取付周辺部は、樹脂製とされ、かつ、この取付周辺部を構成する樹脂に、帯電防止剤が混入されていることを特徴とする表面電位検出センサ。
【請求項２】
前記ケーシングから、電気ケーブルが導出されたものにおいて、
前記電気ケーブルを被覆する樹脂に、前記帯電防止剤が混入されていることを特徴とする請求項１に記載の表面電位検出センサ。
【請求項３】
前記帯電防止剤に、少なくとも、親水性ポリマーが混入されていることを特徴とする請求項１、又は請求項２に記載の表面電位検出センサ。
【発明の詳細な説明】
【技術分野】
【０００１】
本発明は、表面電位検出センサに関する。
【背景技術】
【０００２】
従来より、帯電物に対して検知電極を接近させて、両間に生ずる電界の強度に基づいて帯電物の表面電位を計測するセンサが広く知られている（例えば、特許文献１）。係る表面電位を検出するセンサのケーシングには、樹脂あるいは、金属が使用されている。
【特許文献１】特許第３７４７３４６号公報
【発明の開示】
【発明が解決しようとする課題】
【０００３】
一般に、樹脂は導電性が低く、放電し難いという性質がある。そのため、表面電位検出センサのケーシングが樹脂製である場合に、何らかの理由で帯電してしまうと、その電荷がそのまま残ってしまい、帯電状態が長く続く。すると、ケーシングの作る電界が計測に影響を及ぼしてしまい、検出精度を低下させる要因になる。
一方、金属であれば導電性が高く、アース接地などしておくことで、帯電した電荷を逃がすことができる。そのため、上述の問題を回避できる。しかし、表面電位センサは、例えば、図３に示すように、取付具１５などによって、他の機器などに固定される場合がある。このような使用状況において、例えば、取付具１５が金属性であると、接地されたケーシング１０を介して取付具１５、ひいては、これに連なる機器（図示せず）を、意図せず、接地してしまう。
すると、場合によっては、機器側からケーシング１０に向かって電流が流れ込み、これがセンサの故障を招く。係る事態を未然に回避するには、ケーシング１０と取付具１５との間に、絶縁物１６を介挿させてやればよいが、これを行うには、装着の際に手間がかかり、煩わしさがある。
本発明は上記のような事情に基づいて完成されたものであって、絶縁物を介挿させることなく取り付けが可能で、かつ検出精度に優れる表面電位検出センサを提供することを目的とする。
【課題を解決するための手段】
【０００４】
上記の目的を達成するための手段として、請求項１の発明は、検知電極と、前記検知電極を測定対象物に対向させたときに、両間に生ずる電界の強度に応じた検出信号を出力するセンサ部と、前記検知電極と前記センサ部とを内部に収容するケーシングと、からなり、前記検出信号に基づいて前記測定対象物の表面電位を検出する表面電位検出センサであって、前記ケーシングに、取り付けのための取付部が設けられたものにおいて、前記ケーシングのうちの、前記検知電極の周囲を囲む電極周辺部は、金属製とされ、かつアース接地される一方、前記ケーシングのうちの、少なくとも前記取付部を含む取付周辺部は、樹脂製とされ、かつ、この取付周辺部を構成する樹脂に、帯電防止剤が混入されているところに特徴を有する。
【０００５】
請求項２の発明は、請求項１に記載のものにおいて、前記ケーシングから、電気ケーブルが導出されたものにおいて、前記電気ケーブルを被覆する樹脂に、前記帯電防止剤が混入されているところに特徴を有する。
【０００６】
請求項３の発明は、請求項１または請求項２に記載のものにおいて、前記帯電防止剤に、少なくとも、親水性ポリマーが混入されているところに特徴を有する。
【発明の効果】
【０００７】
＜請求項１の発明＞
請求項１の発明によれば、ケーシングのうち、少なくとも取付部を含む取付周辺部を樹脂製とした。このような構成であれば、取付具との間に絶縁物を介挿することなく、取り付けできる。また、取付周辺部には帯電防止剤を混入させた。このような構成であれば、帯電し難く、また、帯電したとしても、放電され易くなる。従って、取付周辺部（樹脂）が帯電することに起因して起こる検出精度の低下を最小限に抑えることができる。また、検知電極の周囲を覆う電極周辺部は金属製であり、しかも、アース接地されているので、検知電極を静電遮蔽できる。従って、周辺に帯電物があったとしても、それが作る電界が、検知電極と測定対象物との間に生じる電界Ｅに影響を及ぼすことがなく、この点においても、検出精度を高めることができる。
【０００８】
＜請求項２の発明＞
請求項２の発明によれば、電気ケーブルを被覆する樹脂に帯電防止剤を混入させた。このような構成であれば、電気ケーブルそれ自体についても帯電し難くできる。よって、更なる検出精度の向上が期待できる。
【０００９】
＜請求項３の発明＞
請求項３の発明によれば、帯電防止剤に、少なくとも、親水性ポリマーが混入されている。
【発明を実施するための最良の形態】
【００１０】
＜実施形態１＞
本発明の実施形態１を図１ないし図２によって説明する。以下の説明において、前後方向、高さ方向はそれぞれ図１を基準に定めるものとする。
【００１１】
図１は、表面電位検出センサ（以下、単に検出センサとよぶ）Ｓの斜視図である。検出センサＳは、ケーシング２０内に、回路基板（図示せず）及び、検知電極２３などを収容している。ケーシング２０は、前面が基板収容口２１Ａとして開放するボックス状のケーシング本体２１と、蓋部材（本発明の電極周辺部に相当）３１とから構成されている。ケーシング本体２１は、基板収容口２１Ａを蓋部材３１で閉止することで密閉されるようになっている。
【００１２】
また、ケーシング本体２１は、親水性ポリマーなどの帯電防止剤が混入された帯電防止樹脂よりなる。一方、蓋部材３１は金属製とされ、図示しないアース手段によって接地されている（図２参照）。尚、本実施形態において、ケーシング本体２１には、その全体に亘って、前述の帯電防止剤を混入させてある。
【００１３】
ケーシング本体２１の一側面２２には取付孔２２Ａが、上下に設けられている。この取付孔２２Ａは、例えば、図３に示す符号１５のような取付具１５を装着するためのものである。すなわち、この取付具１５を介して検出センサＳを他の機器に固定できるようになっている。また、ケーシング本体２１の下面からは、電気ケーブル４０が導出されている。この電気ケーブル４０は、電力線並びに信号線をよりなる心線を、樹脂材で被覆したものであり、この樹脂材にも親水性ポリマーなどの帯電防止剤が混入されている。
尚、取付孔２２Ａが本発明の取付部に相当するものであり、一側面２２が本発明の取付周辺部に相当するものである。
【００１４】
蓋部材３１のうち、基板収容口２１Ａを閉止する前面は検出面３２とされている。同検出面３２の上部は、所定幅に渡ってケーシング２０の内方に凹ませてあり、その中央部に検知孔３５が設けられている。
【００１５】
検知孔３５は蓋部材３０を前後に貫通し、ケーシング２０の内部に連通している。そして、ケーシング２０の内部であって、検知孔３５の対向位置には検知電極２３が配置されている（図２参照）。
【００１６】
図２に示す符号２４はセンサ部、符号２６はバッファ、符号２７は信号処理部である。センサ部２４は、測定対象物としての帯電物Ｗに検知電極２３を対向して位置させたときに、両間に生ずる電界Ｅの強度を検出し、それに応じたレベルの検出信号Ｓａを出力する機能を有する。バッファ２６は、インピーダンス変換器として機能する。
【００１７】
また、信号処理部２７は、センサ部２４から出力された検出信号Ｓａを信号処理して出力信号Ｓｂとして出力するものである。出力信号Ｓｂより帯電物Ｗの表面電位を知ることが出来る。
【００１８】
本実施形態によれば、ケーシング本体２１を樹脂製としているので、取付具１５との間に絶縁物を介挿することなく、他の機器に対して取り付けできる。また、ケーシング本体２１には帯電防止剤を混入させた。このような構成であれば、帯電防止効果が得られ、ケーシング本体２１が帯電し難く、また、帯電したとしても、放電され易くなる。言い換えれば、ケーシング本体が強い電界を作ることがない。従って、検知電極２３と帯電物（測定対象物）Ｗとの間に生じる電界Ｅに、ケーシング本体２１が影響を及ぼすことがなく、検出精度が高まる。
【００１９】
また、検知電極２３の周囲を囲む蓋部材３１は金属製であり、しかも、アース接地されているので、検知電極２３を静電遮蔽できる。従って、周辺に帯電物（図示せず）があったとしても、それが作る電界が、検知電極２３と帯電物(測定対象物）Ｗとの間に生じる電界Ｅに影響を及ぼすことがなく、この点においても、検出精度を高めることができる。
【００２０】
また、本実施形態では、電気ケーブル４０を被覆する樹脂に帯電防止剤を混入させた。このような構成であれば、電気ケーブルそれ自体についても帯電し難くできる。よって、更なる検出精度の向上が期待できる。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２２】
（１）本実施形態では、ケーシング本体２１の全体を帯電防止性の樹脂により構成したが、例えば、取付孔２２Ａが形成された側面２２だけを帯電防止剤を混入した樹脂材により構成し、他の部分は、金属製とするものであってもよい。
【００２３】
（２）本実施形態では、ケーシング本体２１の全体を樹脂材より構成するとともに、その全体に亘って、帯電防止剤を混入させた。しかし、必ずしも、ケーシング本体の全体に帯電防止剤を混入させる必要はなく、検出に影響を及ぼすであろうことが予想される部分についてのみ、混入させてもよい。
【図面の簡単な説明】
【００２４】
【図１】実施形態１に係る、表面電位検出センサの斜視図
【図２】表面電位検出センサの断面図
【図３】表面電位検出センサに取付具が装着された状態を示す図
【符号の説明】
【００２５】
２０…ケーシング
２１…ケーシング本体
２３…検知電極
２４…センサ部
３１…蓋部材
【図１】
2007322250.tif 000003
【図２】
2007322250.tif 000004
【図３】
2007322250.tif 000005